(57)【要約】      （修正有）【課題】ゴルフ・スイング時のヘッドアップを防止するための、正しい前傾姿勢を矯正するのみならず首の捻じれも矯正するゴルフ用サングラスを提供する。【解決手段】サングラスのグラス１の下部領域に水平方向に対して斜め下方向のみが見えるように貫通するライン３が備わり、ライン加工領域の横幅が角膜長と略同等若しくは角膜長以下であり、グラスの表面の瞳孔に対する位置Ｃから垂直方向に対して下側に前記ラインを施したゴルフ用サングラスである。【選択図】図６
0003209988.tif 000002
【実用新案登録請求の範囲】
【請求項１】
メガネのレンズ表面下部領域またはサングラスのグラス表面下部領域に水平方向に対して斜め下方向のみが見える少なくとも１個の貫通する穴または水平方向に対して斜め下方向のみが見える少なくとも１本の貫通するラインが施されたゴルフ用メガネまたはゴルフ用サングラス
【請求項２】
前記貫通するラインは前記レンズ表面若しくは前記グラス表面の横方向に対して水平方向または垂直方向であることを特徴とする請求項１記載のゴルフ用メガネまたはゴルフ用サングラス
【請求項３】
前記レンズ表面下部領域または前記グラス表面下部領域の貫通する穴または貫通するラインの加工領域の横幅が角膜長と略同等若しくは角膜長以下であり、前記レンズを備えたメガネまたは前記グラスを備えたサングラスを着装した際に瞳孔に対する位置から垂直方向下側に前記加工を施す請求項１または請求項２記載のゴルフ用メガネまたはゴルフ用サングラス
【請求項４】
メガネのレンズが上部側レンズと下部側レンズまたはサングラスのグラスが上部側グラスと下部側グラスで構成され、前記上部側レンズと前記下部側レンズまたは上部側グラスと下部側グラスが異なる色または濃淡の異なる色であることを特徴とするゴルフ用メガネまたはゴルフ用サングラス
【請求項５】
前記上部側レンズと下部レンズまたは前記上部側グラスと下部側グラスの少なくとも一方が異なる色または濃淡の異なる色に変化する調光レンズまたは調光グラスになっている請求項４記載のゴルフ用メガネまたはゴルフ用サングラス
【考案の詳細な説明】
【技術分野】
【０００１】本考案は、ゴルフ・スイング時において、ヘッドアップが原因である軸振を防止するためのゴルフ用メガネおよびサングラスに関するものである。
【背景技術】
【０００２】ゴルフでのセットアップは構える体の形を決める動作であり足の幅、ひざ、前傾など基本的な構えからなる。特に、ゴルフ・スイングの回転軸は背骨であるため、前傾姿勢は、ひざを軽く曲げた後、尻を突き出し、骨盤から首の骨まで真っ直ぐに伸ばしたまま、骨盤から前傾する必要がある。しかし、一般のゴルフプレーヤーは骨盤から前傾させる姿勢でなく背骨を曲げる猫背の姿勢であるために上半身の捻りが小さくなり、飛距離が短くなるだけでなく軸振の原因にもなる。【０００３】前述した正しい姿勢でのセットアップが決まり、ゴルフ・スイングの一連の流れで、アドレスが決まりテイクバックからトップオブスイングとなり、ダウンスイングにてクラブを振り下ろしクラブヘッドのフェースとボールが当たるインパクトに続き、フォロースルーからフィニッシュとなる。【０００４】前記動作において、インパクトの瞬間に前傾した上体が起き上がらないように頭を動かさずボールを確りと見るようにすることでヘッドアップやダフリやトップを防止することが可能となる。しかし、一般のゴルフプレーヤーはゴルフボールのインパクト直前に前記ゴルフボールから目を外しボールの飛球を見ようとするために骨盤から首の骨まで真っ直ぐに伸ばしたままインパクトする姿勢ができずに首が先に回転することで軸振を起こしヘッドアップになっている。
【先行技術文献】
【特許文献】
【０００５】
【特許文献１】実開平５−６３５７５号公報
【特許文献２】実開平６−７５５５０号公報
【特許文献３】登録実用新案３２０４９７９号公報
【考案の概要】
【考案が解決しようとする課題】
【０００６】正しいセットアップ姿勢やスイング動作を習得するためにゴルフ教室や鏡を見ながらのスイング動作を確認し、調整しているが実際のプレーではミスショットが頻繁に起こっている。そのため、ヘッドアップによるミスショットを矯正するためのゴルフ用メガネが幾つか提案されている。【０００７】特許文献１は、色つきレンズの中に更に透明レンズを設けたものであり、透明レンズの面積を小さくしたゴルフ練習用が提案されている。透明レンズでゴルフボールを見ることにより頭の振れを最小にするものであるがゴルフ・スイング時の姿勢、特に骨盤から首の骨まで真っ直ぐに伸ばしたまま、骨盤から前傾する姿勢に矯正するものでない。【０００８】特許文献２は、左右１対の視界限定部を有することを特徴とするゴルフ・スイング用練習メガネであってヘッドアップを防止するためにメガネ・フレームに円形の筒枠を備え、若しくはレンズに遮光部と通光部を備えることでボールに集中させるものである。本考案もヘッドアップを防止するものでありゴルフ・スイング時の姿勢を矯正するものでない。【０００９】特許文献３は、メガネレンズ部の何れか一方にブラインドレンが取り付けられ、斜め下方向のみが見られるように水平方向に複数のシェードが取り付けられたゴルフ用メガネである。実際にゴルフ練習場で当該メガネを着用しているプレーヤーを見かけたがブラインドレンズに長いシェードが数枚取り付けられており、見まねで簡易的に前記ゴルフ用メガネを作製したが、片側に取り付けてあるシェードの隙間からゴルフボールを見てスイングするために前記ゴルフボールに対する遠近感がつかめない。そのためにシェードの付いていない他方のレンズでもボールを無意識に見てしまうために元のスイング姿勢に戻るため姿勢矯正するには厳しいことが明らかとなった。【００１０】また、レンズ横幅分の長い水平方向のシェードが取り付けられているために骨盤から首の骨まで真っ直ぐに伸ばしたスイング姿勢は維持できるが、斜め下方向の視野が広いために首が捻じれた状態でもゴルフボールを見ることが容易であるために正しいゴルフ・スイングの姿勢を矯正できないことも判明した。
【課題を解決するための手段】
【００１１】第一の考案は、メガネのレンズ表面またはサングラスのグラス表面の下部領域に水平方向に対して斜め下方向のみが見えるような貫通する穴が少なくとも１個または貫通するラインが少なくとも１本施されたゴルフ用メガネまたはサングラスであり、前記貫通するラインは前記レンズ表面若しくは前記グラス表面の横方向に対して水平方向または垂直方向である。また、前記レンズ表面または前記グラス表面に施す貫通する穴または貫通するラインの加工領域の横幅が角膜長と略同等若しくは角膜長以下とし、前記レンズまたは前記グラスを着装した際に瞳孔に対する位置から垂直方向下側に前記加工を施している。【００１２】第二の考案は、メガネのレンズが上部側レンズと下部側レンズまたはサングラスのグラスが上部側グラスと下部側グラスで構成され、前記レンズの上部側レンズと下部側レンズまたは前記グラスの上部側グラスと下部側グラスが異なる色または濃淡の異なる色とするゴルフ用メガネまたはサングラスのグラスである。または、上部側レンズと下部側レンズまたは上部側グラスと下部側グラスの少なくとも一方が異なる色または濃淡の異なる色に変化する調光レンズを備えたゴルフ用メガネまたはサングラスのグラスである。
【考案の効果】
【００１３】本考案によれば、シェードを使用していないために出っ張りがないため一般のサングラスやメガネの取り扱いができるため収納も容易であり破損も少ない。また、見た目も一般のメガネやサングラスを掛けているように見られるために人目を気にしなくても良い。更に、貫通する穴をレーザー加工するだけで製造が完了するためにシェード専用の金型製造の必要もないために製造コストを抑える効果もある。
【図面の簡単な説明】
【００１４】
【図１】サングラスのグラス表面の下部領域に多数の貫通する穴を施したサングラスの正面図である。
【図２】サングラスのグラス表面の下部領域に１個の貫通する穴を施したサングラスの正面図である。
【図３】図２に示したＡ−Ａ’の断面図である。
【図４】グラス表面の下部領域に横方向に多数の貫通するラインを施したサングラスの正面図である。
【図５】グラス表面の下部領域に縦方向に多数の貫通するラインを施したサングラスの正面図である。
【図６】グラス表面の下部領域に横方向に１本の貫通するラインを施したサングラスの正面図である。
【図７】グラスの上部グラスと下部グラスに異なる調光レンズを備えたサングラスの正面図である。
【図８】図７のサングラスを野外で使用した際に上部グラスと下部グラスの濃淡が変化した状態を示すサングラスの正面図である。
【考案を実施するための形態】
【００１５】以下、本考案に係る実施の形態を図面により説明する。
【実施例】
【００１６】図１は、一般的なサングラス構造であるが、前記サングラスのグラス（１）の下部領域には斜め下方向のみが見えるようにグラス（１）厚み方向に直径１．５ｍｍの穴（２）を縦方向に３個と横方向に４個を加工している。加工を施す領域に関しては、横方向の幅（Ｘ）が角膜長と略同等である１０ｍｍとし、前記サングラスを装着した際に前記グラス（１）表面の瞳孔に対する位置（Ｃ）から垂直方向に対して下側であり、正しい姿勢でゴルフ・スイング時のセットアップができる位置としている。【００１７】図２は、一般的なサングラス構造であるが、前記サングラスのグラス（１）の下部領域には斜め下方向のみが見えるように直径５ｍｍの穴（２）をグラス（１）厚み方向に貫通するように加工している。加工を施す領域は、横方向の幅は角膜長以下であり、前記サングラスを装着した際に前記グラス（１）表面の瞳孔に対する位置（Ｃ）から垂直方向に対して下側であり、正しい姿勢でゴルフ・スイング時のセットアップができる位置としている。【００１８】図３は、図２のＡ−Ａ’の断面図である。サングラスのグラス（１）の下部領域には斜め下方向が見えるように前記グラス（１）の表面から裏面に貫通する穴（２）が加工してある。【００１９】図４は、一般的なサングラス構造であるが、前記サングラスのグラス（１）の下部領域には斜め下方向のみが見えるように水平方向に対して平行に３本の貫通するライン（３）を加工している。前記ラインの１本の縦幅は２ｍｍであり、３本のラインを加工する領域の横幅は角膜長と略同等の１０ｍｍとし、前記サングラスを装着した際に前記グラス（１）表面の瞳孔に対する位置（Ｃ）から垂直方向に対して下側であり、正しい姿勢でゴルフ・スイング時のセットアップができる位置としている。【００２０】図５は、一般的なサングラスであり、前記サングラスのグラス（１）の下部領域には斜め下方向のみが見えるように垂直方向に対して平行に４本の貫通するライン（４）を加工している。前記ラインの１本の横幅は２ｍｍ、縦幅を４ｍｍとし前記４本を加工する領域の横幅は角膜長と略同等の１０ｍｍとし、前記サングラスを装着した際に前記グラス（１）表面の瞳孔に対する位置（Ｃ）から垂直方向に対して下側であり、正しい姿勢でゴルフ・スイング時のセットアップができる位置としている。【００２１】図６は、一般的なサングラスであり、前記サングラスのグラス（１）の下部領域に斜め下方向のみが見えるように水平方向に対して１本の貫通するライン（３）を施している。前記ラインの縦幅は４ｍｍであり横幅は角膜長より短い７ｍｍとし、前記サングラスを装着した際に前記グラス（１）表面の瞳孔に対する位置（Ｃ）から垂直方向に対して下側であり、正しい姿勢でゴルフ・スイング時のセットアップができる位置としている。【００２２】本考案である第一の実施形態を示したが、グラス下部の加工領域幅に関して横幅を角膜長と略同等または角膜長以下とし、前記グラス表面の瞳孔に対する位置から垂直方向に対して下側であり、正しい姿勢でゴルフ・スイング時のセットアップができる位置としているためスイング時の骨盤から首の骨まで真っ直ぐに伸ばした正しい姿勢を維持できるだけでなく斜め下方向の両サイドの視野を狭めているために首の捻じれも矯正できる。一方、グラス下部領域の縦幅に関しては、使用するクラブにより長さが異なるために正しい姿勢でスイングするためには首の前後の角度が若干変化するために縦幅は２ｍｍ以上とするが、縦幅が長すぎると首の前後の角度振れが大きくなるために３ｍｍ以上５ｍｍ以下とすることが好ましい。【００２３】次に、本考案である第二の実施形態を示す。図７は、一般的なサングラスの構造であり、前記サングラスの１枚のグラスには上部側に調光機能を有するグラス（５）と下部側にも調光機能を有するグラス（６）が取り付けら、前記下部側のグラスは前記サングラスを装着した時にグラス表面の瞳孔に対する位置より下側としている。また、紫外線量の少ない室内等では上部グラスと下部グラスは同色か同じ濃淡になるようにしているが紫外線量の多い野外でゴルフプレーをする際には図８のように上部のグラス（５）と下部（６）のグラスの色か濃淡が異なるような調光グラスを使用している。【００２４】前記調光レンズを備えたサングラスでは上部グラスと下部グラスの色か濃淡が異なれば下部グラスを介してゴルフボールを見ることにより正しい姿勢になる。また、調光レンズを使用しない場合には予め図７のように上部グラスと下部グラスの色か濃淡が異なる仕様のグラスを使用するか若しくは調光レンズを使用しなくとも上部グラスと下部グラスの境目が分かるようにすることで下部グラスを介してゴルフボールを見ることにより正しい姿勢になる。【００２５】但し、本考案の調光機能を有するサングラス若しくはメガネは基本的に正しいゴルフ・スイング姿勢は維持できるが下部レンズの横方向の視野が広いために首の捻じれ矯正を行うには厳しいが下部グラス（６）の縦幅を３ｍｍ以上１０ｍｍ以下、好ましくは４ｍｍ以上７ｍｍ以下とすることで首の前後方向の角度の折れ防止が可能となる。【００２６】本考案のサングラスは、両眼により貫通するライン等や調光レンズ等を通してゴルフボールを見るために遠近感の問題を解消し、意識せず正しい姿勢でスイングすることができ、プレー中も常時装着が可能である。また、首の捻じれや首の前後の角度も矯正可能である。【００２７】尚、本考案の実施形態は一例であり本考案を逸脱しない範囲での変更は可能である。例えば、サングラスのグラスに関しては調光グラス、度付きグラス、度付き調光グラスでも良く、レンズ１個に２個の調光レンズを使用しなくとも一方は調光レンズで他方は通常のグラスでも良く、最初から色や濃淡の異なるサングラスのグラスを使用しても良い。
【産業上の利用可能性】
【００２８】本考案のゴルフ用メガネまたはサングラスは、ゴルフ・スイング時の首の捻じれも修正でき、低廉な製作コストで製作も可能であり、保管時の破損も防止できる。
【符号の説明】
【００２９】１      サングラスのグラス
２      斜め下方向のみが見える貫通する穴
３      斜め下方向のみが見える横方向の貫通するライン
４      斜め下方向のみが見える縦方向の貫通するライン
５      調光機能を有するサングラスの上部側グラス
６      調光機能を有するサングラスの下部側グラス
Ｘ      加工領域の横方向の幅
Ｃ      グラス表面の瞳孔に対する位置
【図１】
0003209988.tif 000003
【図２】
0003209988.tif 000004
【図３】
0003209988.tif 000005
【図４】
0003209988.tif 000006
【図５】
0003209988.tif 000007
【図６】
0003209988.tif 000008
【図７】
0003209988.tif 000009
【図８】
0003209988.tif 000010